(57)【要約】【課題】スペクトラム拡散方式のクロック信号を伝達する技術において、新たな技術を提供すること。【解決手段】本発明のスペクトラム拡散方式のクロック伝達システムは、クロック供給元システム（１）と、クロック供給先システム（２−Ｊ）（Ｊは１≦Ｊ≦Ｎを満たす整数、Ｎは２以上の整数）とを具備している。クロック供給元システム（１）は、クロック信号を変調周期で変調する。クロック供給先システム（２−Ｊ）は、クロック供給元システム（１）からのクロック信号に応じた第１処理と、クロック信号の変調周期（Ｔ２）に応じた第２処理とを実行する。本発明では、新規な試みである上に、クロック供給元システム（１）とクロック供給先システム（２−Ｊ）との間の信号線の削減に役立ち、クロック信号を電圧する信号線を使って情報を伝達していることを他者に知られずにクロック供給先システム（２−Ｊ）に伝達することが可能である。【選択図】図４
2011151609.tif 000002
【特許請求の範囲】
【請求項１】
クロック信号を変調周期で変調するクロック供給元システムと、
前記クロック供給元システムからの前記クロック信号に応じた第１処理と前記クロック信号の前記変調周期に応じた第２処理とを実行するクロック供給先システムと
を具備するスペクトラム拡散方式のクロック伝達システム。
【請求項２】
前記クロック供給元システムは、
複数種類の指示と複数種類の前記変調周期とが対応付けて格納された第１テーブルと、
前記複数種類の指示のうちの選択指示に応じて、前記第１テーブルに格納された前記複数種類の変調周期の中から、前記選択指示に対応する選択変調周期を選択する制御部と、
前記クロック信号を前記選択変調周期で変調して前記クロック供給先システムに送信する送信部と
を具備し、
前記クロック供給先システムは、
前記クロック供給元システムからの前記クロック信号を受信する受信部と、
前記クロック信号に応じた処理を前記第１処理として実行する内部回路と、
前記複数種類の変調周期と各々異なる処理を表す複数種類の情報とが対応付けて格納された第２テーブルと、
前記第２テーブルに格納された前記複数種類の情報のうちの、前記クロック信号の前記選択変調周期に対応する選択情報を選択し、前記選択情報が表す処理を前記第２処理として実行する解析部と
を具備する請求項１に記載のスペクトラム拡散方式のクロック伝達システム。
【請求項３】
前記第２テーブルには、前記複数種類の変調周期と前記複数種類の情報とに対応付けて前記複数種類の指示が更に格納され、
前記解析部は、
前記第２テーブルに格納された前記複数種類の指示のうちの、前記選択変調周期と選択情報とに対応する前記選択指示を外部のシステムに送信する
請求項２に記載のスペクトラム拡散方式のクロック伝達システム。
【請求項４】
前記複数種類の情報は、電源電圧を表し、
前記複数種類の情報が表す処理は、電源電圧を設定する処理を表し、
前記解析部は、
前記第２処理として、現在の電源電圧を前記選択情報が表す電源電圧に変更する
請求項２又は３に記載のスペクトラム拡散方式のクロック伝達システム。
【請求項５】
前記クロック供給先システムは複数存在し、前記クロック供給元システムの前記送信部は前記クロック信号と共にデータを前記複数のクロック供給先システムのうちの選択クロック供給先システムの前記受信部に送信する場合、
前記複数種類の情報は、前記選択クロック供給先システムの数に対応するスレッショルドレベルを表し、
前記複数種類の情報が表す処理は、前記受信部が前記データを受信するときのスレッショルドレベルを設定する処理を表し、
前記選択クロック供給先システムの前記解析部は、
前記第２処理として、現在のスレッショルドレベルを前記選択情報が表すスレッショルドレベルに変更する
請求項２又は３に記載のスペクトラム拡散方式のクロック伝達システム。
【請求項６】
前記クロック供給先システムは複数存在し、前記クロック供給元システムの前記送信部は前記クロック信号と共にデータを前記複数のクロック供給先システムのうちの選択クロック供給先システムの前記受信部に送信する場合、
前記複数種類の情報は、前記クロック信号の数に対応するスレッショルドレベルを表し、
前記複数種類の情報が表す処理は、前記受信部が前記データを受信するときのスレッショルドレベルを設定する処理を表し、
前記選択クロック供給先システムの前記解析部は、
前記第２処理として、現在のスレッショルドレベルを前記選択情報が表すスレッショルドレベルに変更する
請求項２又は３に記載のスペクトラム拡散方式のクロック伝達システム。
【請求項７】
前記クロック供給先システムは複数存在し、前記クロック供給元システムの前記送信部は前記クロック信号と共にデータを前記複数のクロック供給先システムのうちの選択クロック供給先システムの前記受信部に送信する場合、
前記複数種類の情報は、電源電圧、前記選択クロック供給先システムの数に対応するスレッショルドレベル、前記クロック信号の数に対応するスレッショルドレベルの少なくとも１つを表し、
前記複数種類の情報が表す処理は、前記電源電圧を設定する処理、前記受信部が前記データを受信するときのスレッショルドレベルを設定する処理の少なくとも１つを表し、
前記選択クロック供給先システムの前記解析部は、
前記選択情報が電源電圧を表し、前記第２処理が前記電源電圧の設定を表している場合、現在の電源電圧を前記選択情報が表す電源電圧に変更し、
前記選択情報がスレッショルドレベルを表し、前記第２処理が前記スレッショルドレベルの設定を表している場合、現在のスレッショルドレベルを前記選択情報が表すスレッショルドレベルに変更する
請求項２又は３に記載のスペクトラム拡散方式のクロック伝達システム。
【請求項８】
クロック供給元システムからクロック供給先システムにクロック信号を供給するスペクトラム拡散方式のクロック伝達方法であって、
前記クロック供給元システムが、クロック信号を変調周期で変調するステップと、
前記クロック供給先システムが、前記クロック供給元システムからの前記クロック信号に応じた第１処理を実行するステップと、
前記クロック供給先システムが、前記クロック信号の前記変調周期に応じた第２処理を実行するステップと
を具備するスペクトラム拡散方式のクロック伝達方法。
【発明の詳細な説明】
【技術分野】
【０００１】
本発明は、スペクトラム拡散方式のクロック信号を伝達するクロック伝達システムに関する。
【背景技術】
【０００２】
スペクトラム拡散方式のクロック信号を伝達する技術が、例えば、特開２０００−１０１４２４号公報（特許文献１）に記載されている。スペクトラム拡散方式では、クロック信号を変調した場合、そのクロック信号は、例えば、中心周波数、中心周波数よりも大きい周波数である最大周波数、中心周波数、中心周波数よりも小さい周波数である最小周波数という順に周期的に変調されている。
【０００３】
スペクトラム拡散方式では、クロック信号は、段階的に変化し、中心周波数を表す周期、最大周波数を表す周期、最小周波数を表す周期を含む周期群より成り立っている。例えば、周期群のうちの、最初の２周期は中心周波数を表す周期であり、次の２周期は最大周波数を表す周期であり、その次の２周期は中心周波数を表す周期であり、最後の２周期は最小周波数を表す周期であり、元の中心周波数を表す周期に戻る。この１周期分（周期群）を変調周期という。
【０００４】
また、スペクトラム拡散方式において、変調周期を変化させる技術が、例えば、富士通社雑誌「ＦＩＮＤ」Ｖｏｌ．２４  Ｎｏ．６  ２００６  １４〜１８ページ（非特許文献１）に記載されている。非特許文献１によれば、変調周期を変化させるスペクトラム拡散方式では、単一の変調周期のみによるスペクトラム拡散方式よりもＥＭＩ低減効果が優れていることが記載されている。
【先行技術文献】
【特許文献】
【０００５】
【特許文献１】特開２０００−１０１４２４号公報
【非特許文献】
【０００６】
【非特許文献１】富士通社雑誌「ＦＩＮＤ」Ｖｏｌ．２４  Ｎｏ．６  ２００６  １４〜１８ページ
【発明の概要】
【発明が解決しようとする課題】
【０００７】
上述のように、従来では、スペクトラム拡散方式のクロック信号の変調周期を変化させることにより、電磁波輻射を低減している。しかし、スペクトラム拡散方式のクロック信号を伝達する技術において、更に改良する余地がある。
【課題を解決するための手段】
【０００８】
以下に、発明を実施するための形態で使用される符号を括弧付きで用いて、課題を解決するための手段を記載する。この符号は、特許請求の範囲の記載と発明を実施するための形態の記載との対応を明らかにするために付加されたものであり、特許請求の範囲に記載されている発明の技術的範囲の解釈に用いてはならない。
【０００９】
本発明のスペクトラム拡散方式のクロック伝達システムは、クロック供給元システム（１）と、クロック供給先システム（２−Ｊ）（Ｊは１≦Ｊ≦Ｎを満たす整数、Ｎは２以上の整数）とを具備している。クロック供給元システム（１）は、クロック信号を変調周期で変調する。クロック供給先システム（２−Ｊ）は、クロック供給元システム（１）からのクロック信号に応じた第１処理と、クロック信号の変調周期（Ｔ２）に応じた第２処理とを実行する。
【発明の効果】
【００１０】
従来では、スペクトラム拡散方式のクロック信号の変調周期を変化させることにより、電磁波輻射を低減しているが、本発明では、この変調周期に情報（処理）を対応付けている点が新しい。これにより、クロック供給先システム（２−Ｊ）に対して、クロック信号に応じた処理（第１処理）に加え、その処理とは別の処理（第２処理）を実行させることができる。このように、従来では、変調周期に情報（処理）を対応付ける技術は存在せず、本発明では、まったく、新規な試みである。
【００１１】
また、本発明では、クロック供給元システム（１）とクロック供給先システム（２−Ｊ）との間の信号線の削減に役立つ。即ち、第１の効果として、第１処理を実行させるためのクロック信号を伝達する信号線（クロック信号線と称する）の他に、第２処理を実行させるための情報を伝達する信号線を、クロック供給元システム（１）とクロック供給先システム（２−Ｊ）との間に配線する必要がない。
【００１２】
更に、本発明では、第２の効果として、クロック信号線を使って情報を伝達していることを他者に知られずにクロック供給元システム（１）からクロック供給先システム（２−Ｊ）に伝達することが可能である。このように、情報を伝達する信号線が不要であるため、クロック供給先システム（２−Ｊ）の利用者に対して、クロック信号線を使って情報をクロック供給先システム（２−Ｊ）に伝達していることを知られないで済む。このように、本発明は、システムの動作や機能を知られたくない機密情報を扱うような機器に適している。
【図面の簡単な説明】
【００１３】
【図１】図１は、本発明の実施形態によるスペクトラム拡散方式のクロック伝達システムの構成を示している。
【図２】図２は、スペクトラム拡散方式のクロック信号の一例を示している。
【図３】図３は、図２のクロック信号における時間（横軸）−変調周波数の変調度合い（縦軸）を示している。
【図４】図４は、本発明の実施形態によるスペクトラム拡散方式のクロック伝達システムの構成を示している。
【図５】図５は、本発明の実施形態によるスペクトラム拡散方式のクロック伝達システムにおけるテーブル４０を示している。
【図６】図６は、本発明の実施形態によるスペクトラム拡散方式のクロック伝達システムの動作を示すフローチャートである。
【図７】図７は、本発明の実施形態によるスペクトラム拡散方式のクロック伝達システムにおけるクロック変調周期解析部２２の構成を示している。
【図８】図８は、本発明の実施形態によるスペクトラム拡散方式のクロック伝達システムにおけるクロック変調周期解析部２２の動作を説明するための図である。
【発明を実施するための形態】
【００１４】
以下に添付図面を参照して、本発明の実施形態によるスペクトラム拡散方式のクロック伝達システムについて詳細に説明する。
【００１５】
図１は、本発明の実施形態によるスペクトラム拡散方式のクロック伝達システムの構成を示している。
【００１６】
本発明の実施形態によるスペクトラム拡散方式のクロック伝達システムは、クロック供給元システム１と、複数のクロック供給先システム２−１〜２−Ｎ（Ｎは２以上の整数）とを具備している。
【００１７】
クロック供給元システム１は、コンピュータなどの機器であり、ＣＰＵ（Ｃｅｎｔｒａｌ  Ｐｒｏｃｅｓｓｉｎｇ  Ｕｎｉｔ）（図示しない）と、記録媒体である記憶部（図示しない）とを具備している。しかし、クロック供給元システム１は、コンピュータに特定するものでなく、複数のシステムより成り立っている機器セット、システム又は半導体チップであっても構わない。本実施形態ではコンピュータを例にとって説明する。記憶部には、コンピュータに実行させるためのコンピュータプログラムが記憶されている。ＣＰＵは、起動時などに記憶部からコンピュータプログラムを読み取って実行する。ＣＰＵは、クロック変調周期制御部１１と、ＳＳＣＧ（Ｓｐｒｅａｄ  Ｓｐｅｃｔｒｕｍ  Ｃｌｏｃｋ  Ｇｅｎｅｒａｏｒ）送信部１２とを具備している。
【００１８】
クロック供給先システム２−Ｊ（Ｊは１≦Ｊ≦Ｎを満たす整数）は、コンピュータであり、ＣＰＵ（図示しない）と、記録媒体である記憶部（図示しない）とを具備している。記憶部には、コンピュータに実行させるためのコンピュータプログラムが記憶されている。ＣＰＵは、起動時などに記憶部からコンピュータプログラムを読み取って実行する。ＣＰＵは、ＳＳＣＧ受信部２１と、クロック変調周期解析部２２と、内部回路２３とを具備している。内部回路２３は、ＣＰＵに内蔵されないで、ＣＰＵに接続されていてもよい。
【００１９】
まず、スペクトラム拡散方式のクロック信号を伝達する方法を整理しておく。図２は、スペクトラム拡散方式のクロック信号の一例を示している。図３は、図２のクロック信号における時間（横軸）−変調周波数の変調度合い（縦軸）を示している。
【００２０】
スペクトラム拡散方式では、クロック信号を変調した場合、そのクロック信号は、例えば、図３に示されるように、中心周波数、中心周波数よりも大きい周波数である最大周波数、中心周波数、中心周波数よりも小さい周波数である最小周波数という順に周期的に変調されている。
【００２１】
スペクトラム拡散方式では、クロック信号は、段階的に変化し、中心周波数を表す周期、最大周波数を表す周期、最小周波数を表す周期を含む周期群より成り立っている。例えば、図２に示されるように、周期群のうちの、最初の２周期は中心周波数を表す周期であり、次の２周期は最大周波数を表す周期であり、その次の２周期は中心周波数を表す周期であり、最後の２周期は最小周波数を表す周期であり、元の中心周波数を表す周期に戻る。この１周期分（周期群）を変調周期という。
【００２２】
本発明では、富士通社雑誌「ＦＩＮＤ」Ｖｏｌ．２４  Ｎｏ．６  ２００６  １４〜１８ページ（非特許文献１）に記載されているような、変調周期を変化させるスペクトラム拡散方式を採用する。例えば、複数種類の変調周期を５種類の変調周期Ｔ１〜Ｔ５とする。複数種類の変調周期Ｔ１〜Ｔ５は、変調周期Ｔ１、Ｔ２、Ｔ３、Ｔ４、Ｔ５の順で長いものとする。ここで、図３には、変調周期Ｔ１、Ｔ３、Ｔ５が記載され、変調周期Ｔ２、Ｔ４についての図示は省略されている。また、説明の都合上、変調周期を５通りの定義としたが、実際には２通り以上であればどのように定義しても構わない。
【００２３】
本発明では、新たな技術として、変調周期に情報（処理）を対応付けている。これについて説明する。
【００２４】
図４に示されるように、クロック供給元システム１、クロック供給先システム２−Ｊの記憶部は、テーブル４０を備えている。図５に示されるように、テーブル４０には、複数種類の指示Ａ１〜Ａ５と、複数種類の変調周期Ｔ１〜Ｔ５と、各々異なる処理を表す複数種類の情報とが対応付けて格納されている。
【００２５】
ここで、複数種類の情報の内容については後述する。
【００２６】
図６は、本発明の実施形態によるスペクトラム拡散方式のクロック伝達システムの動作を示すフローチャートである。
【００２７】
クロック供給先システム２−Ｊは既にクロック供給元システム１からクロック信号を受信し続けていることが前提であってもいいし、クロック供給先システム２−Ｊに電源投入された直後との前提であってもよい。ここでは、クロック供給先システム２−Ｊはクロック信号を受信し続けているものとして説明する。
【００２８】
複数種類の指示Ａ１〜Ａ５のうちの選択指示（例えば、指示Ａ２とする）が発生したものとする（ステップＳ１）。
【００２９】
クロック供給元システム１において、クロック変調周期制御部１１は、選択指示Ａ２に応じて、テーブル４０に格納された複数種類の変調周期Ｔ１〜Ｔ５の中から、選択指示Ａ２に対応する選択変調周期Ｔ２を選択し、ＳＳＣＧ送信部１２に指示する（ステップＳ２）。
【００３０】
ＳＳＣＧ送信部１２は、クロック信号を選択変調周期Ｔ２で変調してクロック供給先システム２−Ｊに送信する（ステップＳ３）。
【００３１】
クロック供給先システム２−Ｊにおいて、ＳＳＣＧ受信部２１は、クロック供給元システム１からのクロック信号を受信する（ステップＳ４）。このとき、内部回路２３は、クロック信号に応じた処理を第１処理として実行する。第１処理については、即ち、クロック信号に応じて所定の処理を行う動作については、公知であるため、その説明を省略する。
【００３２】
クロック変調周期解析部２２は、テーブル４０に格納された複数種類の情報のうちの、クロック信号の選択変調周期Ｔ２に対応する選択情報を選択し、選択情報が表す処理を第２処理として実行する（ステップＳ５）。
【００３３】
同時に、ステップＳ５において、クロック変調周期解析部２２は、テーブル４０に格納された複数種類の指示Ａ１〜Ａ５のうちの、選択変調周期Ｔ２と選択情報とに対応する選択指示Ａ２を外部のシステムに送信する。
【００３４】
上述のクロック変調周期解析部２２は、例えば、図７に示されるような構成により実現される。
【００３５】
クロック変調周期解析部２２は、積分器３１、サンプルホールド部３２、累積加算器３３、比較器３４、計数器３５、基準値格納部３６、判定部３７を備えている。
【００３６】
積分器３１にはＣＲ積分などの積分器が用いられる。積分器３１は、クロック信号（ＳＳＣＧクロック）を入力する。図８に示されるように、クロック信号の変調周期は上述の周期群を含んでいるため、積分器３１は、この周期群に対して周期毎に積分し、順番にその１周期分を電圧に変換して、サンプルホールド部３２と比較器３４とに出力する。
【００３７】
サンプルホールド部３２は、１周期分の電圧を保持する。
【００３８】
累積加算器３３は、サンプルホールド部３２に保持される電圧を累積電圧として累積する。
【００３９】
比較器３４は、積分器３１からの電圧とサンプルホールド部３２に保持された電圧とを比較し、積分器３１からの電圧がサンプルホールド部３２に保持された電圧よりも小さい場合、減少信号（−）を出力し、積分器３１からの電圧がサンプルホールド部３２に保持された電圧よりも大きい場合、増加信号（＋）を計数器３５に出力する。
【００４０】
計数器３５は、減少信号（−）と増加信号（＋）とを受け取る回数をカウントする。例えば、図８に示されるように、計数器３５が、減少信号（−）を２回受け取り、増加信号（＋）を２回受け取った場合、クロック信号の１周期を判断する。このとき、計数器３５は、判定許可信号を判定部３７に出力する。
【００４１】
基準値格納部３６は、上述のテーブル４０に対応する。例えば、テーブル４０に格納された複数種類の変調周期Ｔ１〜Ｔ５は、それぞれ異なる複数種類の電圧により表される。
【００４２】
判定部３７は、判定許可信号に応じて、クロック信号の１周期を判断したとき、累積加算器３３に累積された累積電圧と、テーブル４０（基準値格納部３６）に格納された複数種類の電圧とを比較する。
【００４３】
複数種類の電圧のうちの、累積電圧に一致する電圧が、上述の選択変調周期（例えば、変調周期Ｔ２とする）に対応する。この場合、判定部３７は、テーブル４０に格納された複数種類の情報のうちの、クロック信号の選択変調周期Ｔ２に対応する選択情報を選択し、選択情報が表す処理を第２処理として実行する。同時に、判定部３７は、テーブル４０に格納された複数種類の指示Ａ１〜Ａ５のうちの、選択変調周期Ｔ２と選択情報とに対応する選択指示Ａ２を外部のシステムに送信する。
【００４４】
また、判定部３７は、累積加算器３３に累積された累積電圧と、テーブル４０（基準値格納部３６）に格納された複数種類の電圧とを比較したとき、リセット信号を累積加算器３３に出力する。累積加算器３３は、リセット信号に応じて累積電圧をリセットし、サンプルホールド部３２に新たに保持される電圧を累積電圧として累積する。
【００４５】
本発明の実施形態によるスペクトラム拡散方式のクロック供給システムでは、クロック供給元システム１が、クロック信号を変調周期で変調した場合、クロック供給先システム２−Ｊが、クロック供給元システム１からのクロック信号に応じた第１処理と、クロック信号の変調周期に応じた第２処理とを実行する。従来では、スペクトラム拡散方式のクロック信号の変調周期を変化させることにより、電磁波輻射を低減しているが、本発明では、この変調周期に情報（処理）を対応付けている点が新しい。これにより、クロック供給先システム２−Ｊに対して、クロック信号に応じた処理（第１処理）に加え、その処理とは別の処理（第２処理）を実行させることができる。このように、従来では、変調周期に情報（処理）を対応付ける技術は存在せず、本発明では、まったく、新規な試みである。
【００４６】
本発明の実施形態によるスペクトラム拡散方式のクロック供給システムでは、クロック供給元システム１は、複数種類の指示Ａ１〜Ａ５のうちの選択指示Ａ２に応じて、複数種類の変調周期Ｔ１〜Ｔ５の中から、選択指示Ａ２に対応する選択変調周期Ｔ２を選択し、クロック信号を選択変調周期Ｔ２で変調してクロック供給先システム２−Ｊに送信する。クロック供給先システム２−Ｊは、そのクロック信号を受信し、クロック信号に応じた処理（第１処理）を実行し、複数種類の情報のうちの、クロック信号の選択変調周期Ｔ２に対応する選択情報を選択し、選択情報が表す処理（第２処理）を実行する。このように、複数種類の指示Ａ１〜Ａ５が存在する場合、その指示の数だけ、複数種類の変調周期Ｔ１〜Ｔ５と複数種類の情報（処理）とを対応付ければよい。これを実現するために、複数種類の指示Ａ１〜Ａ５と複数種類の変調周期Ｔ１〜Ｔ５と複数種類の情報とが対応付けたテーブル４０をクロック供給元システム１、クロック供給先システム２−Ｊ内に設定しておくことが好ましい。
【００４７】
また、本発明の実施形態によるスペクトラム拡散方式のクロック供給システムでは、クロック供給先システム２−Ｊが、クロック供給元システム１からのクロック信号に応じた第１処理と、クロック信号の変調周期に応じた第２処理とを実行することにより、クロック供給元システム１とクロック供給先システム２−Ｊとの間の信号線の削減に役立つ。即ち、第１の効果として、第１処理を実行させるためのクロック信号を伝達する信号線（クロック信号線と称する）の他に、第２処理を実行させるための情報を伝達する信号線を、クロック供給元システム１とクロック供給先システム２−Ｊとの間に配線する必要がない。
【００４８】
更に、本発明の実施形態によるスペクトラム拡散方式のクロック供給システムでは、クロック供給先システム２−Ｊが、クロック供給元システム１からのクロック信号に応じた第１処理と、クロック信号の変調周期に応じた第２処理とを実行することにより、第２の効果として、クロック信号線を使って情報を伝達していることを他者に知られずにクロック供給元システム１からクロック供給先システム２−Ｊに伝達することが可能である。このように、第２の効果では、情報を伝達する信号線が不要である上に、その信号線が存在しないため、クロック供給先システム２−Ｊの利用者に対して、クロック信号線を使って情報をクロック供給先システム２−Ｊに伝達していることを知られないで済む。このように、本発明は、システムの動作や機能を知られたくない機密情報を扱うような機器に適している。
【００４９】
（第１実施形態）
本発明の実施形態によるスペクトラム拡散方式のクロック伝達システムについて、具体的に説明する。ここで、第１実施形態では、上述の構成、動作と重複する説明を省略する。
【００５０】
図５に示されるように、複数種類の情報は、電源電圧Ｖ１〜Ｖ５を表しているものとする。ここで、複数種類の電源電圧Ｖ１〜Ｖ５は、電源電圧Ｖ１、Ｖ２、Ｖ３、Ｖ４、Ｖ５の順で高いものとし、電源電圧Ｖ３を標準とする。また、複数種類の情報が表す処理は、電源電圧Ｖ１〜Ｖ５を設定する処理を表しているものとする。
【００５１】
ステップＳ５において、クロック変調周期解析部２２は、テーブル４０に格納された複数種類の情報のうちの、クロック信号の選択変調周期Ｔ２に対応する選択情報を選択し、選択情報が表す処理を第２処理として実行する。そこで、複数種類の情報が電源電圧Ｖ１〜Ｖ５を表している場合、選択情報が表す電源電圧は電源電圧Ｖ２である。この場合、クロック変調周期解析部２２は、第２処理として、現在の電源電圧を電源電圧Ｖ２に変更する。
【００５２】
本発明の第１実施形態によるスペクトラム拡散方式のクロック供給システムでは、新規な試みである上に、上述の第１、２の効果を実現する。特に、第２の効果では、電源電圧を表す情報を伝達する信号線が不要である上に、その信号線が存在しないため、クロック供給先システム２−Ｊの利用者に対して、クロック信号線を使って電源電圧をクロック供給先システム２−Ｊに伝達していることを知られないで済む。
【００５３】
（第２実施形態）
クロック供給元システム１のＳＳＣＧ送信部１２が、クロック信号と共にデータを複数のクロック供給先システム２−１〜２−Ｎのうちの選択クロック供給先システムのＳＳＣＧ受信部２１に送信する場合について説明する。
【００５４】
クロック供給元システム１から選択クロック供給先システムに伝達するデータについては、選択クロック供給先システムの数が多くなるにつれ、クロック供給元システム１の負荷が大きくなり、データの遅延が大きくなる。データの遅延が大きくなると、選択クロック供給先システムではデータを受信する際に誤りが発生しやすくなる。そこで、第２実施形態では、複数種類の指示Ａ１〜Ａ５と、複数種類の変調周期Ｔ１〜Ｔ５と、複数種類の情報としてシステム負荷数とを対応付けておくことにより、選択クロック供給先システムではＳＳＣＧ受信部２１のシュレッショルドレベルを変えるなどの処置を行い、データ誤りの発生を低減することができる。第２実施形態では、第１実施形態と重複する説明を省略する。
【００５５】
図５に示されるように、複数種類の情報は、選択クロック供給先システムの数（システム負荷数）に対応するスレッショルドレベルＸ１〜Ｘ５を表しているものとする（図５ではスレッショルドレベルをＴｈレベルと表記する）。ここで、複数種類のスレッショルドレベルＸ１〜Ｘ５は、スレッショルドレベルＸ１、Ｘ２、Ｘ３、Ｘ４、Ｘ５の順でシステム負荷数が多いものとし、スレッショルドレベルＸ３を標準とする。また、複数種類の情報が表す処理は、ＳＳＣＧ受信部２１がデータを受信するときのスレッショルドレベルＸ１〜Ｘ５を設定する処理を表しているものとする。
【００５６】
ステップＳ５において、クロック変調周期解析部２２は、テーブル４０に格納された複数種類の情報のうちの、クロック信号の選択変調周期Ｔ２に対応する選択情報を選択し、選択情報が表す処理を第２処理として実行する。そこで、複数種類の情報がシステム負荷数に対応するスレッショルドレベルＸ１〜Ｘ５を表している場合、選択情報が表すスレッショルドレベルはスレッショルドレベルＸ２である。この場合、選択クロック供給先システムのクロック変調周期解析部２２は、第２処理として、現在のスレッショルドレベルをスレッショルドレベルＸ２に変更する。
【００５７】
本発明の第２実施形態によるスペクトラム拡散方式のクロック供給システムでは、新規な試みである上に、上述の第１、２の効果を実現する。特に、第２の効果では、システム負荷数を表す情報を伝達する信号線が不要である上に、その信号線が存在しないため、複数のクロック供給先システム２−１〜２−Ｎの利用者に対して、クロック信号線を使ってシステム負荷数を選択クロック供給先システムに伝達していることを知られないで済む。
【００５８】
（第３実施形態）
クロック供給元システム１のＳＳＣＧ送信部１２が、クロック信号と共にデータを複数のクロック供給先システム２−１〜２−Ｎのうちの選択クロック供給先システムのＳＳＣＧ受信部２１に送信する場合について説明する。
【００５９】
クロック供給元システム１から選択クロック供給先システムに伝達するデータについては、選択クロック供給先システムの数が多くなるにつれ、クロック供給元システム１の負荷が大きくなり、データの遅延が大きくなる。データの遅延が大きくなると、選択クロック供給先システムではデータを受信する際に誤りが発生しやすくなる。そこで、第３実施形態では、複数種類の指示Ａ１〜Ａ５と、複数種類の変調周期Ｔ１〜Ｔ５と、複数種類の情報としてクロック供給数とを対応付けておくことにより、選択クロック供給先システムではＳＳＣＧ受信部２１のシュレッショルドレベルを変えるなどの処置を行い、データ誤りの発生を低減することができる。第３実施形態では、第１実施形態と重複する説明を省略する。
【００６０】
図５に示されるように、複数種類の情報は、クロック信号の数（クロック供給数）に対応するスレッショルドレベルＹ１〜Ｙ５を表しているものとする（図５ではスレッショルドレベルをＴｈレベルと表記する）。ここで、複数種類のスレッショルドレベルＹ１〜Ｙ５は、スレッショルドレベルＹ１、Ｙ２、Ｙ３、Ｙ４、Ｙ５の順でクロック供給数が多いものとし、スレッショルドレベルＹ３を標準とする。また、複数種類の情報が表す処理は、ＳＳＣＧ受信部２１がデータを受信するときのスレッショルドレベルＹ１〜Ｙ５を設定する処理を表しているものとする。
【００６１】
ステップＳ５において、クロック変調周期解析部２２は、テーブル４０に格納された複数種類の情報のうちの、クロック信号の選択変調周期Ｔ２に対応する選択情報を選択し、選択情報が表す処理を第２処理として実行する。そこで、複数種類の情報がクロック供給数に対応するスレッショルドレベルＹ１〜Ｙ５を表している場合、選択情報が表すスレッショルドレベルはスレッショルドレベルＹ２である。この場合、選択クロック供給先システムのクロック変調周期解析部２２は、第２処理として、現在のスレッショルドレベルをスレッショルドレベルＹ２に変更する。
【００６２】
本発明の第３実施形態によるスペクトラム拡散方式のクロック供給システムでは、新規な試みである上に、上述の第１、２の効果を実現する。特に、第２の効果では、クロック供給数を表す情報を伝達する信号線が不要である上に、その信号線が存在しないため、複数のクロック供給先システム２−１〜２−Ｎの利用者に対して、クロック信号線を使ってクロック供給数を選択クロック供給先システムに伝達していることを知られないで済む。
【００６３】
（第４実施形態）
クロック供給元システム１のＳＳＣＧ送信部１２が、クロック信号と共にデータを複数のクロック供給先システム２−１〜２−Ｎのうちの選択クロック供給先システムのＳＳＣＧ受信部２１に送信する場合について説明する。第４実施形態では、第１〜３実施形態と重複する説明を省略する。
【００６４】
図５に示されるように、複数種類の情報は、電源電圧Ｖ１〜Ｖ５、選択クロック供給先システムの数に対応するスレッショルドレベルＸ１〜Ｘ５、クロック信号の数に対応するスレッショルドレベルＹ１〜Ｙ５の少なくとも１つを表しているものとする。また、複数種類の情報が表す処理は、電源電圧Ｖ１〜Ｖ５を設定する処理、ＳＳＣＧ受信部２１がデータを受信するときのスレッショルドレベルＸ１〜Ｘ５、Ｙ１〜Ｙ５を設定する処理の少なくとも１つを表しているものとする。
【００６５】
この場合、ステップＳ５において、選択クロック供給先システムのクロック変調周期解析部２２は、選択情報が電源電圧Ｖ２を表し、第２処理が電源電圧の設定を表している場合、現在の電源電圧を選択情報が表す電源電圧Ｖ２に変更する。また、選択情報がスレッショルドレベルＸ２、Ｙ２を表し、第２処理がスレッショルドレベルの設定を表している場合、現在のスレッショルドレベルを選択情報が表すスレッショルドレベルＸ２、Ｙ２に変更する。
【００６６】
本発明の第４実施形態によるスペクトラム拡散方式のクロック供給システムでは、新規な試みである上に、上述の第１、２の効果を実現する。即ち、第１〜３実施形態における効果を実現する。
【符号の説明】
【００６７】
１    クロック供給元システム、
２−１〜２−Ｎ（Ｎは２以上の整数）    クロック供給先システム、
１１    クロック変調周期制御部、
１２    ＳＳＣＧ送信部、
２１    ＳＳＣＧ受信部、
２２    クロック変調周期解析部、
２３    内部回路、
３１    積分器、
３２    サンプルホールド部、
３３    累積加算器、
３４    比較器、
３５    計数器、
３６    基準値格納部、
３７    判定部、
４０    テーブル、
Ａ１〜Ａ５    指示、
Ｔ１〜Ｔ５    変調周期、
Ｖ１〜Ｖ５    電源電圧、
Ｘ１〜Ｘ５    スレッショルドレベル、
Ｙ１〜Ｙ５    スレッショルドレベル
【図１】
2011151609.tif 000003
【図２】
2011151609.tif 000004
【図３】
2011151609.tif 000005
【図４】
2011151609.tif 000006
【図５】
2011151609.tif 000007
【図６】
2011151609.tif 000008
【図７】
2011151609.tif 000009
【図８】
2011151609.tif 000010